(57)【要約】      （修正有）【課題】被搬送者の臀部〜下腿部の位置が下がることなく、また、いわゆるハンモック状態になってしまうことのない布担架を提供する。【解決手段】略長方形の周縁を有する布状体１の両側長辺全長に沿って中空筒状部を設け、その中に可撓性を有する棒状体を挿入して布担架の本体を構成する。傷病者等を搬送する際には、中空筒状部に布状体１を巻き付けて被搬送者の両側から被搬送者の身体各部位の直近まで布状体１を巻き込んで巻込把持部９を形成し、巻込把持部９と被搬送者の身体とを一緒に固定バンド４、５及び固定バンド接続手段固定した後、巻込把持部９を把持して被搬送者を搬送する。【選択図】図７
2011045470.tif 000002
【特許請求の範囲】
【請求項１】
略長方形の周縁を有する布状体（１）と、
前記布状体の両側長辺全長に沿って設けられた中空筒状部（２）と、
前記中空筒状部に挿入された可撓性を有する棒状体（３）と、からなる布担架。
【請求項２】
略長方形の周縁を有する布状体（１）と、
前記布状体の両側長辺全長に沿って設けられた中空筒状部（２）と、
前記中空筒状部に挿入された可撓性を有する棒状体（３）と、
前記布状体の長軸の片側に２〜４本ずつ両側一対に設けられたバンドであって、その一端が前記布状体底面の長軸を中心とする所定の範囲で固着されている固定バンド（４a〜４d、５a〜５d）と、
前記固定バンドの各対を接続するために前記各固定バンドの他端に設けられた固定バンド接続手段（６a〜６d、７a〜７d）と、からなる布担架。
【請求項３】
請求項１記載の布担架の使用方法において、
布状体（１）の上に被搬送者を横臥させた後、
棒状体（３）を挿入してある中空筒状部（２）を床面上で転がし又は両手で持って回転させて前記布状体を巻き付け、かつ、被搬送者の両側から被搬送者の身体各部位の直近まで前記布状体を巻き込んで巻込把持部（９）を形成し、
前記巻込把持部を把持して被搬送者を搬送する、ことを特徴とする請求項１記載の布担架の使用方法。
【請求項４】
請求項２記載の布担架の使用方法において、
布状体（１）の上に被搬送者を横臥させた後、
棒状体（３）を挿入してある中空筒状部（２）を床面上で転がし又は両手で持って回転させて前記布状体を巻き付け、かつ、被搬送者の両側から被搬送者の身体各部位の直近まで前記布状体を巻き込んで巻込把持部（９）を形成し、
前記巻込把持部を被搬送者の身体と一緒に固定バンド（４a〜４d、５a〜５d）及び固定バンド接続手段（６a〜６d、７a〜７d）で固定した後、
前記巻込把持部を把持して被搬送者を搬送する、ことを特徴とする請求項２記載の布担架の使用方法。
【発明の詳細な説明】
【技術分野】
【０００１】
本発明は、地震、火災等の災害時ないし緊急時に傷病者等を搬送するための布担架に関する。
【背景技術】
【０００２】
担架は地震、火災等の災害時ないし緊急時に傷病者や要介護者等の自力移動できない者（以下、「傷病者等」という。）を搬送するためのものである。
従来から用いられている担架の多くは、２本の棒の間に又は略長方形の枠ないしフレームに布を張ったものであり、保管や運搬のために折り畳めるようにしたものも多い。しかし、使用時には２ｍ程度の長さとなるため狭い場所では使用しづらく、また重量も大きいため運搬に不便である。
これに対し、棒や枠等を用いない布担架ないし簡易担架（以下、単に「布担架等」という。）は、収納スペースを必要としないため保管に便利であり、重量も小さくすむほか、費用も低く抑えることができるため、自治体や一般企業等でも常備し易いものである。
【０００３】
現在では種々のデザインの布担架等が製造・販売・使用（以下「製造等」という。）されており、それらの基本構成の多くは、布地又は合成樹脂等の布状シート（以下、「布状体」という。）であって略長方形の周縁を有するものと、その両側長辺に沿って略等間隔に設けられた片側２〜４箇所程度の把持手段とからなる。
一般的にはこれら基本構成に加えて、被搬送者の身体を固定するための固定バンドが設けられているものや、肩かけバンドが設けられ又は装着可能であるものが多い（例えば、非特許文献１記載の「東消７８型布担架」等。）。また、略長方形布状体の短辺側に引張バンドが設けられている場合もある（例えば、特許文献１等参照。）。
【０００４】
しかし、布担架による傷病者等の搬送では、被搬送者はハンモックに寝ているような状態になるため、姿勢が弓状に丸まってしまうことが多く、被搬送者の姿勢が安定しないほか、被搬送者にとっては身体的・心理的な負担となる。また、そのような場合には被搬送者の臀部〜下腿部の位置が下がり易いため、階段や段差、障害物のある場所を通過する際には、被搬送者の身体が階段や段差の角部や障害物に接触しないように注意する必要がある。
【０００５】
このような布担架の欠点を防止するため、略四角形の布部分に硬質ゴムないしマットを用いることが考案されている（例えば、非特許文献２参照。）。同様な手段は、異なった目的のためにも採用されている（例えば、特許文献２等参照。）。
マット等を用いることは上記課題を解決するための補助的手段の一つであるが、布担架本体に厚みのあるマットを用いることによって、折り畳んでもかさばるものとなってしまう。また、重量及び費用の点においても、必ずしも最良の解決手段とはいい難い。
【０００６】
逆に、被搬送者の身体を伸ばしたまま搬送するのではなく、徒手運搬と同様に、傷病者等を座位と同様の姿勢で搬送する布担架等も多数考案されている（例えば、特許文献３参照。）。これらの布担架等においては、肩かけバンドの併用などにより、横臥（仰臥位、側臥位、伏臥位を区別せずに横になった状態をいう。以下同様。）させた場合よりも被搬送者の身体を高い位置に保って搬送するため、上記欠点は問題とならない。肩掛けバンドを装着・使用可能な布担架を使用する場合は、同様な搬送方法を用いることが可能であることも多い。
しかし、これらは主として搬送者が二人の場合に用いられる搬送方法であるため、搬送者が３人以上いる場合であっても二人の主たる搬送者に負担が集中してしまい、人数的に余裕がある場合でも搬送余力を活かせない。
【０００７】
また、担架の本体部分を紙で構成した紙担架も製造等されている（例えば、特許文献４参照。）。折り畳み可能でありながら担架本体を硬く、剛性の高いものにすることができるため、上記欠点を解決することが可能である。しかし、市販の種々の布担架の約２倍程度の重量となるほか、搬送時に搬送者の手が痛くなる、階段の昇降時等に担架を傾けた際に被搬送者がずり落ちやすい、といった別の欠点がある。
【０００８】
他方、専用の器具を用いない傷病者等搬送方法として、徒手運搬法のほか、ロープ又は毛布等を棒に引掛けて作成する急造担架を用いる方法、毛布だけで作成する急造担架（以下、「急造毛布担架」という。）により搬送する方法等が知られており、防災訓練においてもそうした搬送方法の訓練が行われている。
このうち、急造毛布担架による搬送方法は、毛布の中央に被搬送者を横臥させ、その毛布の長辺を両側から中央に向かって巻き込み、４人ないし６人の搬送者で毛布の巻き込み部分を把持して搬送するものである。
【先行技術文献】
【特許文献】
【０００９】
【特許文献１】特開２００４−１８１１０２号公報
【特許文献２】特開平０９−１２２１７７号公報
【特許文献３】登録実用新案３０９１６９０号公報
【特許文献４】意匠登録第１０７２７３３号公報
【非特許文献】
【００１０】
【非特許文献１】「三訂版 救急技術マニュアル」、救急業務研究会、東京法令出版株式会社、２００７年、p．２１４
【非特許文献２】「布担架の改良・開発について」、海野浩、東京消防庁、平成１４年
【発明の概要】
【発明が解決しようとする課題】
【００１１】
解決しようとする問題点は、布担架による傷病者等の搬送では被搬送者の臀部〜下腿部の位置が下がってしまうほか、被搬送者はハンモックに寝ているような状態となり、その身体が弓状に丸まってしまって姿勢が安定しない点である。
【００１２】
かかる問題点を図１２及び図１３を用いて説明する。
図１２は従来の布担架の一例として、略長方形の布地１０１、把持部１０２、及び固定バンド１０３から構成されたものを示したものであり、比較のために仰臥した被搬送者の輪郭を二点鎖線で示してある。
被搬送者の体型の大小にかかわらず搬送できるように、布地１０１の幅Ｗ1は概ね成人男性の肩幅程度となっている。しかし通常、被搬送者の臀部〜下腿部の横幅は肩幅よりも狭い。例えば図中に示すＷcは被搬送者の下腿部横幅であり、布地の幅Ｗ1の約半分ほどになっている。
図１３は、搬送者が把持部の把持位置ａ〜ｄを持って布担架を搬送している場合を想定して、図１２における布担架のうち被搬送者右腕側輪郭より外側になる部分を上方へ持ち上げた状態で、その側面を示したものである。ただし、固定バンド及び被搬送者腕部分の図示は省略してある。
【００１３】
図１３から直ちにわかるように、被搬送者の身体の位置は、把持位置ａ〜ｄよりも低く落ち込む。例えば、把持位置ｃから被搬送者下腿部背面までの落ち込み高さＨcは、布地の幅Ｗ1と被搬送者身体の横幅との差による落ち込み高さＨc1と、把持部による落ち込み高さＨc2とからなる。このうち、落ち込み高さＨc1は、図１２における布地幅Ｗ1と下腿部横幅Ｗcとの差によって生ずるものである。
【００１４】
また、例えば図１３においてＨcがＨbより大きくなっているように、布地の幅Ｗ1と被搬送者身体横幅との差は、被搬送者身体各部位によって異なる。このため、搬送者により把持位置ａ〜ｄが一定の高さに保たれた場合でも、被搬送者の身体の床面からの高さは臀部〜下腿部にかけて低くなってゆく。特に、固定バンドがない場合には被搬送者の両腕は体側に密着することなく上方位置にずれて、胸部ないし腹部の上に置かれるため、こうした現象が起こり易い。
逆に、被搬送者の身体を真っ直ぐに保持しようとする場合には、図１３における把持部の把持位置ａ〜ｄの高さはそれぞれ異なることとなり、搬送者は肘を曲げ、又は身体を屈める等によって被搬送者の身体姿勢を調節・保持しなければならない。
【００１５】
また、被搬送者は、把持位置ａ〜ｄから吊り下げられた状態になっており、搬送中に各把持位置間の距離Ｌab、Ｌbc、Ｌcdが小さくなれば、被搬送者はハンモックに寝ているような状態となって、その身体が弓状に丸まってしまう。
さらに、搬送中の担架は不規則に揺動するが、被搬送者身体と把持位置との間の距離が大きくなるほど大きく揺動することとなり、被搬送者の姿勢が不安定になって搬送しづらくなるほか、被搬送者に身体的・心理的な負担をかけることになる。
【００１６】
このような問題が生じるのは、適切な把持位置で布担架を保持することができずに、把持位置と被搬送者の身体との距離が大きく開いてしまうためであり、これを解決するためには、把持位置と被搬送者の身体との距離を小さくする必要がある。
しかし、被搬送者の体格によって適切な把持位置は異なってくる。また、適切な位置で把持できるとしても、その把持部自体が把持しにくいものであると、搬送者の負担となるだけでなく、確実に布担架を保持できないこととなる。
そこで、本発明布担架の主たる課題は、被搬送者の体格が異なる場合でも、把持位置と被搬送者の身体との距離を小さくすることが可能であり、かつ、搬送者に負担なく適切な把持位置で確実に布担架を保持できるようにすることである。
【課題を解決するための手段】
【００１７】
本発明布担架は、被搬送者の体格が異なる場合でも、把持位置と被搬送者の身体との距離を極めて小さくすることが可能である点、及び、搬送者に負担なく適切な把持位置で確実に布担架を保持できるようにした点を主要な特徴とする。
【００１８】
具体的には、本発明布担架を、略長方形の周縁を有する布状体と、その両側長辺全長に沿って設けられた中空筒状部と、その中空筒状部に挿入された可撓性を有する棒状体と、布状体の長軸方向に略等間隔に配置され長軸の片側に２〜４本ずつ両側一対に設けられた布状体短辺と略平行なバンドであって、その一端が布状体底面の長軸を中心とする所定の範囲で固着されている固定バンドと、その固定バンドの各対を接続するために各固定バンドの他端に設けられた接続手段と、を備えたものとして構成した。
【００１９】
また、本発明布担架の使用方法は、次のとおりである。
まず、布状体の上に被搬送者を横臥させた後、棒状体を挿入してある中空筒状部を床面上で転がし又は両手で持って回転させて布状体を巻き付けて、被搬送者の両側から被搬送者の身体各部位の直近まで布状体を巻き込んでゆく。
そして、棒状体を挿入してある中空筒状部に布状体を巻き付け・巻き込んだ部分（以下、「巻込把持部」という。）を被搬送者の身体と一緒に固定バンドで固定した後、巻込把持部を把持して被搬送者を搬送することを特徴とする。
【発明の効果】
【００２０】
略長方形の布状体長辺縁全長に及ぶ棒状体を有するため、布状体を巻き込みやすく、搬送時に担架の両側全長の任意の適切な箇所を把持可能である。また、従来の布担架のように把持部形成箇所の数により搬送者人数が限定されることがないので、搬送者数に余裕がある場合には布担架両側の搬送者数を増やすことができる。
そして、布状体を巻き込んだ場合でも巻込把持部の太さはほとんど棒状体と変わらず、巻き込んだ部分に指が入り込むため握り易い。固定バンドを使用する場合には、かかる巻込把持部は固定バンドで締め付けられて固定されるため、巻き込んだ布状体が巻き戻されることもない。
【００２１】
かかる棒状体の素材として可撓性のある適度な柔らかさの素材を採用することにより、被搬送者身体のどの部位についても、被搬送者身体と極めて近接した位置に巻込把持部を形成することができ、被搬送者身体の体格の大小にかかわらず安定した搬送を可能とする。
また、巻込把持部も適度な柔らかさとなるため、搬送者の手が痛くなることを軽減できる。
【００２２】
このように、被搬送者身体と把持位置とが極めて近接するため、被搬送者の身体が把持位置から大きく落ち込むことがなく、また、被搬送者の臀部〜下腿部の位置の落ち込みも生じない。
そして、被搬送者身体を略水平に保持する場合であっても、複数の把持位置がほとんど同じ高さとなるので、搬送者が肘を曲げたり、身体を屈めたりして把持位置高さを調節する必要がない。
また、従来の布担架のように吊り下げ状態にはならないので、吊り下げ状態によって生じる担架の揺動を防止することができ、また、被搬送者が吊り下げられた状態になることによってその身体が弓状に丸まってしまうといった現象も生じにくくなる。
【００２３】
さらに、固定バンドの使用により布担架と被搬送者の身体とは密着するため、傷病者等を搬送中の布担架全体の大きさは被搬送者の身体より多少大きくなるだけであり、極めてコンパクトにできるため、狭隘箇所の通過も容易である。また、階段等の傾斜がある場所における搬送の際に布担架を傾けても、被搬送者が布担架からずり落ちにくくすることができる。
そのように固定バンドで被搬送者を締め付けた場合であっても、棒状体ないし巻込把持部はクッションの役割を果たすため、被搬送者の身体に固定バンドがくい込む苦痛が軽減される。
【００２４】
かかる本発明布担架も一般的な布担架と同様に、軽量で、折り畳んで小さく収納することができるので、保管・運搬に便利である。また、比較的低廉な費用で実現可能である。
【図面の簡単な説明】
【００２５】
【図１】本発明布担架の平面図である。（実施例１）
【図２】図１におけるＡ−Ａ線断面図である。
【図３】本発明布担架の底面図である。（実施例１）
【図４】図３におけるＢ−Ｂ線断面における説明図である。
【図５】本発明布担架の使用方法の説明図である。
【図６】４人の搬送者による本発明布担架の使用例である。
【図７】３人の搬送者による本発明布担架の使用例である。
【図８】１人の搬送者による本発明布担架の使用例である。
【図９】本発明布担架の底面図である。（実施例３）
【図１０】図９におけるＣ−Ｃ線断面における説明図である。
【図１１】本発明布担架の底面図である。（実施例４）
【図１２】従来の布担架の平面図である。
【図１３】従来の布担架の説明図である。
【発明を実施するための形態】
【００２６】
以下、本発明布担架の実施の形態について図１〜図３を参照して説明する。
ただし、図１中央には被搬送者輪郭を二点鎖線で例示してあるが、以下、「右側」若しくは「左側」というときは、仰臥した被搬送者の右腕側若しくは左腕側をいうものとする。また、図２は図１におけるＡ−Ａ線断面図であるが、天地を右左として、また、布状体１を断面が図示できる程度の厚さのものとして表してある。
【００２７】
本発明布担架の本体部分は、図１及び図２に示すように、略長方形の周縁を有する布状体１、布状体１の両側長辺全長に設けられた中空筒状部２、及び中空筒状部２に挿入されている可撓性を有する棒状体３から構成される。
【００２８】
布状体１は、略長方形の周縁の、一般に布担架に用いられる帆布や合成樹脂シート等の布状の素材からなる。周縁形状は一般的な長方形のほか、一部のバックボード等に採用されているように、被搬送者下半身を支える部分では脚部方向に行くに従って横幅が狭くなってゆくような形状にしてもよい。
図２では、布状体１の両側長辺を内側に折り返し、長辺縁を縫着等の手段で固着することによって中空筒状部２を形成したものを示しており、図中の２aは固着部分である。棒状体３が挿入されている中空筒状部２の内周はちょうど棒状体３を挿入できる程度としてある。
【００２９】
棒状体３は可撓性を有する軽い素材からなる棒状体であり、布状体１の長辺とほぼ等しい長さのものである。その断面形状は問わないが、布状体１を巻き付けて把持部とするものであるから直径３０mm〜５０mm程度の略円形断面としたものが握り易い。
棒状体３の素材は、大きな強度や剛性を有するものである必要はない。太めのロープ等を棒状体の代わりに用いることもできるが、より軽く、適度に柔らかい素材である方が望ましい。例えば、包装材、緩衝材、パッキング材等に用いられるポリエチレンフォーム、ポリウレタンフォームその他の可撓性及び柔軟性を有し、折り曲げても破壊・破損しないような合成樹脂発砲体は、棒状体３の好適な素材の一例である。
なお、棒状体３が挿入されている中空筒状部２の両端は、開放端であると閉塞端であるとを問わない。
【００３０】
図１において、４a〜４dとして被搬送者左側に４本、５a〜５dとして被搬送右側に４本示されているのは固定バンドである。各固定バンドの端部には、接続手段６a〜６d及び７a〜７dが設けられている。布担架に固定バンドが設けられる場合、通常、その本数は片側２本〜４本であることが多いが、本数をこれより増減してもよい。
図３に示すように、各固定バンドは布状体１の底面側で、後述する縦バンド８と共に布状体１に固着されている。実施例１として後述するように、各固定バンドは、布状体１の長軸を中心とする距離Ｌ4、Ｌ5の範囲内で布状体１に固着されており、二点鎖線で囲んだ斜線部分Ｓcは固着範囲を示したものである。
【００３１】
各固定バンドにおいて、布状体１に固着される部分と固着されない部分の境界（以下、「固着境界」という。）は、略長方形である布状体１の長軸を中心とする所定の範囲内、例えば図３における長軸からの距離Ｌ4又はＬ5の範囲内、に位置している。
図３では、被搬送者左側の固定バンド４a〜４dの固着境界は、布状体１の長軸から距離Ｌ4までの範囲内に位置しており、距離Ｌ4を超える部分では、各固定バンドと布状体１とが重なり合っていても両者は固着されていない。各固定バンドと固着されていない範囲で布状体１を巻き込むことができ、本発明布担架の使用時に巻込把持部を形成することが可能になる。
被搬送者右側の固定バンド５a〜５dと距離Ｌ5との関係についても同様である。図３においては、距離Ｌ4、Ｌ5を約２０cmとして図示してある。
【００３２】
ただし、各固定バンドにおいて、布状体１の長軸から固着境界の位置までの距離（以下、「固着境界距離」という。）を等しくする必要はない。布状体１を被搬送者の身体各部位の直近まで巻き込めるようにするためには、各固定バンドの位置において、被搬送者身体各部位の横幅の半分程度以下とすればよい。
そこで、例えば、図１に示すように固定バンド４a、５aは被搬送者の肩から胸付近に位置するので固着境界距離を肩幅の半分弱とし、固定バンド４d、５dは被搬送者の下腿部付近に位置するので固着境界距離を下腿部横幅の半分弱とするように、各固定バンドについて、想定される被搬送者の体型に合わせた固着境界距離を採用してもよい。
【００３３】
固定バンド４a〜４d及び５a〜５dの各端部に設けられている接続手段６a〜６d及び７a〜７dは、各固定バンドを相対応する固定バンドと接続するためのものである。本発明布担架使用時には、６a〜６dはそれぞれ７a〜７dに接続され、接続後に固定バンドの長さを調節することによって被搬送者を固定する。
図１及び図３には接続手段としていわゆるワンタッチ式のベルト留め具を図示してあるが、これらの代わりに、環形留め具その他のベルト留め具や面ファスナーを接続手段とすることも可能である。左右一対の固定バンドの片方のみに設ければよい環形留め具等のベルト留め具を用いる場合には、対応する固定バンドの端部は自由端のままでよい。
【００３４】
なお、固定バンドを左右一対に構成せずに、右側又は左側の片方のバンドのみで固定バンドを構成することも可能である。その場合には、対応する固定バンドの固着境界となるべき箇所に上述のような各種のベルト留め具や面ファスナー等の接続手段を直接設ければよい。
また、左右一対として相対応する２本の固定バンドを左右一体として、１本のバンドないしベルトから固定バンドを構成することもできる。その場合、布担架使用の際に被搬送者を載せた布担架の全周に巻き付けるようにすれば、固定バンドを布状体１に固着せず、布担架本体とは別体とすることもできる。固定バンドと布担架本体とが別体であれば固着境界の位置についての制限はなくなるが、ベルトループを設ける場合には、そのベルトループ位置は上述の固着境界位置と同様に制限されることになる。
さらに、バンド等の代わりにロープ状の部材を使用することも可能である。被搬送者を載せた布担架の全周に巻き付けて、又は、固定バンドの固着境界となるべき箇所にフックやカラビナ等の係止・固定器具や長さ調節器具を設けて使用することが考えられる。
このように、被搬送者の身体を布担架に固定するための固定手段は本願に記載した固定バンド及びその端部接続手段に限られるものではない。巻込把持部と被搬送者の身体とを一緒に固定するための固定手段であり、かつ、巻込把持部を把持部として使用できるものであれば、本願における固定バンド等と同様の効果を生じ得るものである。
【００３５】
次に、本発明布担架の使用方法について図１、図５及び図６〜図８を参照して説明する。
図１における棒状体３が挿入されている中空筒状部２を、図５においては２１ａ及び２２aで示してある。また、かかる中空筒状部２によって布状体１が巻き付けられ、巻き込まれてゆく途中の様子を、図５においては２１b及び２２bで示してある。図５のＭhは、後述の頭部位置を示すマークである。
図１における固定バンド４a〜４d又は５a〜５dを、図７及び図８では単に４又は５として示してあるが、その他の各部分は図１と同様である。
【００３６】
本発明布担架により傷病者等を搬送するには、まず、布状体１の上に被搬送者を横臥させる。
そして、図５において最初は２１a、２２aの位置にある中空筒状部２を床面上で図中の矢印で示すように転がし、又は両手で持って捻るように回転させて布状体１を巻き付け、被搬送者の両側から布状体１を巻き込んでゆく。すると、巻き込み部分はそれぞれ２１b、２２bで示すように、布状体１の中央側、すなわち被搬送者側に移動してゆく。
各固定バンドの位置によって被搬送者の身体の横幅が異なるが、棒状体３は可撓性を有する素材からなるものなので、被搬送者の身体各部位の横幅の相違にかかわらず、図６〜図８に見られるように、被搬送者の身体各部位の直近まで両側の布状体１を巻き込んでゆくことができる。
被搬送者の身体各部位の直近まで両側の布状体１を巻き込んだら、布状体を巻き付けた中空筒状部、すなわち巻込把持部９を、被搬送者の身体と一緒に固定バンド４a〜４d及び５a〜５dで固定する。
被搬送者を固定した後、図６、図７のように、巻込把持部９を把持して傷病者等を搬送する。
【実施例１】
【００３７】
図１〜図５は、本発明布担架の一実施例であり、図１及び図２については上述のとおりである。図４は図３におけるＢ−Ｂ線断面における説明図であるが、布状体１及び縦バンド８を、断面が図示できる程度の厚さのものとして表してある。また便宜上、図中の布状体１断面の下に表れるはずの、棒状体３が挿入されている中空筒状部２の図示を省略してある。
【００３８】
図３に示すように、固定バンド４aとこれに対応する固定バンド５aは、１本のバンドで構成してあり、かかるバンド中央の距離Ｌ4及びＬ5に相当する長さ部分を布状体１の底面側に固着してある。
他の固定バンド４b〜４dとこれに対応する固定バンド５b〜５dについても同様に、布担架両側の対応する各固定バンドをそれぞれ１本のバンドで構成し、各バンド中央部分を布状体１の底面側に固着してある。
なお、本実施例では各固定バンドを距離Ｌ4＋Ｌ5の全長に渡って布状体１に固着しているが、必ずしも距離Ｌ4＋Ｌ5の全長を固着する必要はない。左右の各固定バンドの固着境界が布状体１長軸から距離Ｌ4又はＬ5の範囲内となるようにすればよいので、例えば固着境界付近のみを部分的に固着するだけでもよい。左右一対の固定バンドを、左右別々のバンドで構成する場合も同様である。
【００３９】
図３に示す８は縦バンドであり、２本の縦バンド８の被搬送者頭部側に把持部８bを設けてある。図４は、把持部８bの形成方法の一例を示したものである。
把持部８bは、図４のように２本の縦バンド８をその一端から距離Ｌsaで折り返して形成したものである。図中の８a部分及び図外に及ぶ８c部分は、布状体１に縫着してある。
把持部８bは、図７に示すように３人以上の搬送者で搬送する場合の頭部側搬送者の持ち手として、あるいは、図８に示すように搬送者１人で被搬送者を頭部方向へ引きずり搬送する場合の持ち手として利用するものである。
【００４０】
図８に示すように搬送者１人で搬送を行う場合には、布担架を引張る荷重はすべて２箇所の把持部８bに加わるので、この荷重を分散させて布状体１の破損・破壊を防止するため、縦バンド８の長さは、布状体１の被搬送者頭部側短辺縁から固定バンド６d及び７dを布状体１に縫着する箇所までの長さとしてある。
図３においては、固定バンド４a〜４d及び５a〜５dの更に底面側から２本の縦バンド８を重ねて、これらが重なり合う箇所では一緒に布状体１に縫着してある。二点鎖線で囲んだ斜線部分Ｓcは、これら固定バンド及び縦バンドと布状体１との縫着部分であり、図４ではＬscとして示してある。
【００４１】
なお、被搬送者頭部側に把持部を設ける場合には、図５のＭhで示すように、布状体１に頭部位置を示すマークを設けておくと担架に被搬送者を横臥させる際に担架の頭部側と脚部側の区別が容易になる。もちろん、被搬送者頭部側に把持部を設けない場合等、頭部側と脚部側を区別する必要がない場合には、そうしたマークを設ける必要はない。
【００４２】
図６〜図８は、本発明布担架を搬送に用いた場合の使用例を示した図である。
図６は、安全帽をかぶった４人の搬送者が階段で傷病者等を搬送しているところを示している。被搬送者は固定バンドによって固定されているため、布担架からずり落ちることなく搬送可能である。また、布担架全体の大きさは被搬送者の身体より多少大きくなるだけであり、狭隘箇所の通過も容易である。
図７は、３人の搬送者が傷病者等を横臥させた布担架を保持しているところを示している。各搬送者の把持部分はほぼ等しい高さとなって、特定の搬送者が身体を屈めたり、肘を曲げたりすることなく布担架及び被搬送者を床から一定の高さに保持して搬送することができる。
図８は、１人の搬送者が本発明布担架によって傷病者等を搬送しているところである。１人で搬送する場合には、被搬送者頭部側の巻込把持部９を把持することも可能であるが、２箇所に設けた把持部８bを用いた方が楽である。もっとも、巻込把持部９はクッションの役割を果たし、被搬送者の身体に固定バンドがくい込む苦痛を軽減するのに役立っている。
【実施例２】
【００４３】
既述のとおり、左右の相対応する固定バンドを１本のバンドで構成し、各固定バンドを布状体１に固着させずに別体とすることもできる。
各固定バンドを布状体１と別体とした場合には、固定バンドを使用せずに、図１及び図２に示す布状体１、中空筒状部２、及び棒状体３から構成される本発明布担架の本体部分のみで傷病者等を搬送することも可能である。
【００４４】
本発明布担架の本体部分のみで傷病者等を搬送する場合は、従来から知られている既述の急造毛布担架と同様な使用方法となるが、本発明布担架は略長方形の布状体１長辺縁全長に及ぶ棒状体３を有するため、急造毛布担架に比べて巻き込み動作が容易である。
また、急造毛布担架においては、毛布の巻き込み部分が柔らかすぎて持ちづらいほか、毛布生地の厚さや毛布巻き込み量の多少によって、把持部分が太くなり過ぎたり又は細くなり過ぎたりする場合も生じ得る、といった欠点がある。これに対し本発明布担架では、布状体１を巻き込んだ場合でも巻込把持部の直径ないし太さはほとんど棒状体３と変わらないため、急造毛布担架のそうした欠点が解消される。
【実施例３】
【００４５】
図９及び図１０は本発明布担架の一実施例の底面図である。実施例１に、更に３本の横バンド８１を加えて片側３箇所、両側で６箇所の把持部を設けたものであって、平面図は図１と同様である。
図１０は図９におけるＣ−Ｃ線断面による説明図であるが、天地を右左として、また、布状体１、縦バンド８及び横バンド８１を断面が図示できる程度の厚さのものとして表してある。また便宜上、固定バンド５aその他横バンド８１の後方に表れるはずの部材の図示を省略してあるほか、横バンド８１の８１b部分を少し傾けて表してある。
【００４６】
本発明布担架にあっては、布担架の両側搬送者は巻込把持部を把持すればよいのであるが、被搬送者の体重が極端に重い場合などに備えて、布担架横方向の補強部材や、より強度の大きな把持部を設けておいた方がよい場合も考えられる。また、布担架両側に数箇所の補助的な把持部を設けておけば、肩掛けバンド等の別体のバンド等を併用しやすくなることも考えられる。そうした理由で、補助的な把持部を付加したものである。
本実施例はそうした補助的な把持部を構成する方法の一例を示したものであって、その施設箇所数や構成方法を限定する趣旨ではない。
【００４７】
図１０は補助的な把持部を構成する方法の一例を示したものである。
図１０に示す８１b部分は、横バンド８１の末端を折り返して形成したループ状の把持部である。図中の８１a及び８１cは縦バンド８と一緒に布状体１に固着する範囲であり、Ｗsdは固着幅である。図中の８１d部分は横バンドのみを布状体１に固着する範囲であり、Ｌsdは固着長である。横バンド８１の末端部分をＬsdの範囲まで折り返して８１dの部分と一緒に布状体１に固着すればより強固な把持部とすることができる。
固定バンド、縦バンド及び横バンドと布状体１との固着範囲は、図９の二点鎖線で囲んだ斜線部分Ｓdで示してある。
【００４８】
図１０にＤで示す箇所は横バンド８１の固着境界である。Ｄ点より外側では把持部８１bは布状体１に固着されていないので、本実施例布担架を使用する際には、Ｄ点まで布状体１を巻き込んで巻込把持部を形成することができる。
【実施例４】
【００４９】
図１１は、本発明布担架の一実施例の底面図であり、布状体１の長軸と一致する中心線を一点鎖線で示してある。平面図は図１と同様である。
本実施例は、被搬送者の脚部方向に行くに従って２本の縦バンド８の間隔が狭くなるようにしたものである。被搬送者の身体の横幅は脚部方向に行くに従って狭くなるため、既述したように、被搬送者身体各部位の横幅に合わせ、被搬送者の脚部方向に行くに従って固着境界距離が小さくなるようにしたものである。このようにすることによって、被搬送者の脚部でも、被搬送者の身体直近まで両側の布状体１を巻き込んで巻込把持部を形成することができる。
【００５０】
図１１中の距離Ｌ4a〜Ｌ4d及びＬ5a〜Ｌ5dは、それぞれの添え字と同符号の固定バンドの固着境界距離であり、相対応する左右の各固定バンドの固着境界距離は同じである。搬送者の左側のみを示せば、各固定バンドの固着境界距離は、
Ｌ4a  ＞  Ｌ4b  ＞  Ｌ4c  ＞  Ｌ4d
となっている。本実施例においては、各固定バンドの更に底面側から縦バンド８を固着しているため、布状体１の長軸方向に２本の縦バンド８の間隔を変化させることで、各固定バンドの固着境界距離を変えている。
ただし、縦バンド８より更に底面側から各固定バンドを固着するようにすれば、図３又は図９のように、２本の縦バンド８を平行に布状体に固着した上で、固定バンドの位置や本数に無関係に各固定バンドの固着境界距離を決定することもできる。例えば、搬送者左側のみを示せば
Ｌ4a  ＝  Ｌ4b  ＞  Ｌ4c  ＞  Ｌ4d
とするような設計が可能である。また同様に、実施例３に述べたような把持部を設けること、及び、そうした把持部において固着境界距離を好適な値とすることも可能である。
【符号の説明】
【００５１】
１    布担架本体の布状体
２    中空筒状部
３    棒状体
４、４a〜４d    左側固定バンド
５、５a〜５d    右側固定バンド
６a〜６d    左側固定バンド端部接続手段
７a〜７d    右側固定バンド端部接続手段
８    縦バンド
８b    頭部側把持部
８１    横バンド
９    巻込把持部
【図１】
2011045470.tif 000003
【図２】
2011045470.tif 000004
【図３】
2011045470.tif 000005
【図４】
2011045470.tif 000006
【図５】
2011045470.tif 000007
【図６】
2011045470.tif 000008
【図７】
2011045470.tif 000009
【図８】
2011045470.tif 000010
【図９】
2011045470.tif 000011
【図１０】
2011045470.tif 000012
【図１１】
2011045470.tif 000013
【図１２】
2011045470.tif 000014
【図１３】
2011045470.tif 000015